(57)【特許請求の範囲】
【請求項１】
パステル画の制作時に支持体となる各画用紙を屋外等へ携行して、画面制作を実施する際の制作支援用具において、携行する支持体である画用紙の保護、収納を可能にする平板と、画面制作時における画用紙の画板への密着固定を可能にするもう一枚の平板が、一方づいての見開き型となるように平板２枚が、組合されて連結しており、更に、その平板２枚の連結している辺側とは反対側の辺になる方の各一辺中央部分に貫通孔を設け、各貫通孔にロープが通され、通されたロープ両端に結び玉を施し、連結する２枚の平板の見開き幅の最大限度をロープの長さにより規定したことを特徴とする画板。
【発明の詳細な説明】
【産業上の利用分野】
【０００１】  本考案は、屋内外いずれの場においても、制作に係る場合、例えば、画用紙等を支持体とするパステル画や水彩画等の制作に関わって、描画作業及び描画準備、片付け作業等含めて平板状に形成された画板本体に、支持体である画用紙等を画板に留める際、従来使用されていたクリップ留め仕様を止め、額縁店等で一般市販されているトンボ（寸法６分乃至７分大）という部品金具を留め具として画板の４隅に使用することで、支持体の角４箇所を画板に密着固定させることができる。
【０００２】  そして、支持体を包んでいるグラシンペーパー（グラッシュ紙）や、他の描き掛けの画用紙等を控え収納させて置くについて、画板裏手に蝶番によって連結されたもう一方の平板が利用され、その平板内壁部分において、支持体や他用紙の保護収納を可能にし、組合さる２枚の板を取り付けロープでしっかり縛って閉じ合せ、様々な制作の場に画板と複数枚の支持体を保護、収納しながら携行を可能にした画板に関するものである。
【背景技術】
【０００３】  従来から、薄手のベニヤ板などによる単式画板等や支持体収納不可能の画板等、三つ折り式の支持体収納型画板に及んで、いろいろとあったようだが、収納時の画用紙の露出状態による支持体の損傷やバインダーリングを使用の事で画板に不必要な厚みを帯びてしまったり、また、目玉クリップを用いて画用紙を画板に留めなければならず、画板に対して、向かい合わせになった描き手にとっての風景視野では、描画作業中に目玉クリップ等の支持体留め具が目に入り、制作時に目障りとなってしまい、体裁の良いものではなかった。【０００４】  そして、小学校教材で使用形式の画用紙上部中央クリップ一点留め式の首掛けひも付き画板に装着されたバネクリップも風によっては、画用紙が突如めくれ折れたりしてしまい、真に役立つことはなく、やはり、クリップが大きいために作業上支障を来し、それを緩めると画用紙の抑えが利かなくなる不安定さが生じた。
【発明の開示】
【発明が解決しようとする課題】
【０００５】  描画作業の上で、屋内外いずれにおいても、この画板を用意することで、その画用紙等の取り扱いが安定して、目的が楽に、果たされるようにする。【０００６】  屋外においては、特に、突然の風雨降雪時等に画用紙等が、風で折れ曲がったり、扱いによって皺になったりせずに、画板にしっかりと、固定され、しかも、画用紙の水濡れを回避できる安全な状態を保つようにする。【０００７】  それ故に、画板に供された画用紙は、画板一式と共に、常に、応急的にも機敏な動作に対応し得る状態を保つ。つまり、支持体が画板に、常に、体裁良く、固定されていて、用紙の取り扱いも保護されながら、画板一式に収納され、携行できる。【０００８】  また、画用紙が画板に密着固定される状態、即ち、画用紙が画板に、しっかりと、張り付けられたような状態にするには、画板と画用紙の密接する部分において、留め具を用いる。【０００９】  しかし、その留め具となる部品が、画用紙面上のいずれかに及んだとしても、紙面に関わる綿密な作画作業の邪魔になってしまったり、作画作業時等の際、その視界において目障りになる物体と化すこと等を避け、なるべく余分な物陰が作画作業画面に関係する可視範囲に及ぶことが無いように配慮する。
【課題を解決するための手段】
【００１０】  本考案は、上記いずれの課題も果たされるべく、以下に列記する作用、利用効果等を伴った実施例を図によって示されることで明らかとなる。
屋内外いずれの使い勝手においても、以下の内容を以って、この画板の仕様内容として特定する。その仕様内容は、画板等を構成する２枚の堅木板は、ある程度の厚みと重量が備わる吸湿性ある天然ヒノキ無垢材等が使用される。無垢材である堅木板を複数枚横並びにさせて接ぎ合わせることによって、平面一枚板状を形成する。
【実施例】
【００１１】  図３に示されるように、この外見上一枚板状１，１ａ，１３，１４，１５をなした平板を２枚分用意する。１枚は、画板１，１ａを構成し、もう１枚は、画用紙等保護収納スペースを板内壁部分に備える平板１３，１４，１５を構成する。
この画用紙等保護収納スペース部分の構成は、図２、図３、図５で示されるように、画板裏面が収納スペースの蓋面の役割を果たせるように考慮して、構成される。【００１２】  それは、図４に示されるように、太さの異なった２種類の角型細木材合計８本を、細い角材ばかりを用いた４本１組の縁回し材２，２ａ，２ｂ，２ｃと、太い角材ばかりを用いた４本１組の縁回し材１８，１８ａ，１８ｂ，１８ｃのそれぞれを、画板用に使用することと、収納スペース付裏板用縁回し材に使用することで、それぞれの平板の補強８，８ｄをも兼ねて、構成される。【００１３】  図１に示されるように、画板となる平板４辺に対して、細めの角材４本を角材合わせ口４箇所に楔材８，８ａ，８ｂ，８ｂ，８ｃ，８ｄ，８ｅ，８ｆ，８ｇを用いて接着し、縁回しを施す。【００１４】  それと、図５に示されるように、支持体を保護収納可能なスペースに提供できるようになるもう１枚の平板の４辺に、太めの角材４本にしゃくり溝１７，１７ａ，１７ｂを施して、角材合わせ口４箇所に楔材８ｄ，８ｅ，８ｆ，８ｇを用いて接着し、縁回しを施す。【００１５】  図２、図３、図５に示されるように、２種類の太さの異なった角材のうち、
やや太い方の角材４本それぞれの一木面部分には、角材の両端に及んで、一直線上に深さ約１ミリ程度のしゃくり溝を施す。やがて、画板の裏手１８に連結されるもう一枚の平板の各４辺において、この溝付き角材４本が、平板の厚みを示す木面部分に、縁回し材としてそれぞれ施されるが、その時に、先ほどの深さ１ミリ程度のしゃくり溝が、平板の厚み部分を示す面に掛らないように（平板の厚みよりも約２ミリ程度、角材の高さが上回る上層部分が出てくるように）縁回しとして角材を接着する。
そうすると、画板との２枚組合せになった時、図７で示されるように、外見上、板構成面が全て平らに仕上がる面を持つようになる。【００１６】  図２、図３で示されるように、太い方の角材を縁回しに用いた平板は、画板裏手１８に連結され、その平板には、板面と約２ミリ程度の段差を生じて、その段差の部分に深さ１ミリ程度のしゃくり溝が見える板面の内壁部分が構成され、その部分が画用紙等保護、収納スペースとなって、表側の画板裏面が蓋面となり、図８で示されるように２枚ともに重なり合って、構成される。【００１７】  なお、画板と収納スペース付き裏板とは、図４、図７で示されるように、蝶番９，９ａによって連結されて２枚組合せに構成される。【００１８】  画板に装着されるそれぞれの部品具としては、図３で示されるように凸部付穴開き防錆トンボ３，３ａ，３ｂ，３ｃが採用され、トンボの装着方法は、方形画板の角４箇所それぞれに、トンボの向きを凸部が画板１，１ａに対して、直接、触れる向きにして、トンボに開けられている穴に防錆モクネジ４，４ａ，４ｂ，４ｃを通して、ネジ締め方式で画板１，１ａに装着して備える。【００１９】  平板２枚の各一辺ずつには、図４で示されるように、蝶番９，９ａが跨るように各辺の両端付近各２か所にモクネジを差し込んで蝶番がネジ式で締め付けられ、平板それぞれの厚みになる部分に留め付けられる。【００２０】  図２、図３で示されるように、その連結して組合さった２枚板に取り付けられた蝶番が付いた辺側とは、反対側の辺になる方の各一辺中央部分に、２枚板の貫通方式にロープ直径の大きさに合わせた貫通孔１６，１６ａなる穴を設ける。【００２１】  図２、図５で示されるように、その設置された穴には、ビニロン性ロープ５，５ａ，５ｂを通す。【００２２】  図６、図８で示されるように、組み合わさった２枚板の貫通孔１６，１６ａに通したロープ両端には、更に、結び玉５，５ｂを施す。【００２３】  このロープの長さについては、図２で示されるように、２枚板の見開き幅の最大限度と等しくなるように、その見開き最大角度が直角９０度をやや、超えるくらいの広めの角度での見開き位置が、そのロープ最長の長さをもって決定されるロープ両端の結び玉を構成する位置となるようにする。【００２４】  このロープの結び玉に絡めて、ロープの両端である切り口を縫い糸で、しっかりと綻ばぬように縫い繕っておき、ロープ切り口から撚り糸が綻んで結び玉が崩れなくなる。
【作用】
【００２５】  画板裏手に備わる平板に供されるやや太めの角材において、この約２ミリ程度の高さの角材木面部分に施された深さ凡そ１ミリ程度のしゃくり溝に、支持体である画用紙等が、はめ込まれて収納される。
【００２６】  そして、支持体等が収納されている裏板を下に、画板を上にして、収納スペースの蓋を開けるように画板を上方向に持ち上げ、２枚の板に通されたロープが最長になる長さを以って蓋の役目をしている画板である上板を直立角度よりやや反りかえり気味になるまでの開放限界までに上板を持ち上げると解放動作は停止する。そのロープ両端が結び玉になっている部分で板から抜け落ちずにストッパーの役割を果たしている。
【００２７】  支持体を取り出し、その収納スペースの底板になっている板面でちょっとした作業ができる。速やかに画用紙を取り出し、上板を閉じて、画板に画用紙を乗せて固定作業に取り掛かれる。
【００２８】  そして、画板角４箇所に装備された部品金具である凸部付ネジ締め方式防錆トンボを画板に使用することでネジ締め方式による画用紙の画板に対する密着固定留めが可能となる。
【考案の効果】
【００２９】  この天然無垢材仕様堅木板には、画用紙固定のために必要な、各部品が各部位にそれぞれ装着されるのに充分なる材質の堅さがある。
【００３０】  ところで、蝶番によって行儀よく重なり合うように整えられた２枚板の見開き動作がロープを擦りながら動作することによれば、その動作性が優れていなければならないことを考慮して、貫通孔滑り易くするためにもビニロン性ロープを用いて、且つ、見開き型の２枚合わせの板が、蝶番動作の限界まで開き過ぎぬように見開き動作を規制する役割をロープに結び球を付けることによって有効に果たされる。
【００３１】  凹凸加工等が施された防錆トンボの凸部が、画用紙面に直接あたるように画板面の方へ防錆トンボの凸部を向けて防錆トンボ４個各々を、防錆モクネジ４個を用いて画板の角４箇所各々に装備し、装備された防錆トンボを各部ネジ締め方式によって、支持体の画板に対する密着固定程度が調度良い位置を可能にする。
【００３２】  図１で示されるように、画板に画用紙が密着固定された状態では、その画用紙の密着固定の目的に装備された部品金具が防錆トンボなる小型物体であることが、特に作画作業時に絶大な効果がもたらされることが次の説明で明らかになる。
それは、従来、他で利用されてきた目玉クリップなる器具が、支持体端部に装着され、支持体端部の作画作業の邪魔に及んだり、支持体先の風景となる視界において目障りになる物体と化してしまうこと等を避け、なるべく余分な物陰が作画作業画面の可視範囲に及ぶことが無いように配慮されている。
そして、その画板にある程度の厚みと、重量、吸湿性保持等の天然無垢材堅木質平板が指定されることで、この凸部付防錆トンボの締め留めによって画板に密着固定される支持体等が、突然に吹き抜ける風等に煽られ、飛ばされる心配の無いように、常に、画板、支持体ともに安全な状態が保たれつつ、安心して、作画作業に取り組めることが効果覿面に及んでいる。
また、突然の気象変化が起こり得る外部環境の屋外においても、支持体が、この画板に密着固定されていることによって、画板に固定された支持体等に対しては、常に、機敏な動作での回避行動が可能となる。
この合板形態の平板によって、比較的、純然たる天然木無垢材一枚板に起こり得る板反り現象も、完全に防いでいる。
但し、黒檀や紫檀、欅板等の一枚板を大きな寸法で画板として用意するには、費用が膨大に掛かり得る時世なので、なるべく合板方式を選択して整えていることにも最良の効果に繋がっている。
そして、しかも、この縁回しで、象られた角材の部分が、後で、画用紙を画板に張り付ける際、あるいは、張り付けた後の作画作業に関っても、画用紙縁と画板縁との境にやや余裕スペースになる余白的部分が材料接合部を示す継ぎ目の直線部分となって現われ、画用紙を画板に固定させるときの正確な目安となり、効果覿面をもたらしている。
【００３３】  ロープの両端に施した結び球に縫い繕いを縫い糸で施すことが、ロープ先端を丈夫に保ち、綻びを防ぐ。
【発明を実施するための最良の形態】
【００３４】  図１、図７で示されるように、イーゼル６，６ａ，６ｂ，７，１０，１１に架けて屋外等で安定的に使用可能であり、遠方に及んで、長時間の作業にも役立つ画板である。【００３５】  画用紙縁程の端部に及んでの綿密な描画作業にも、画用紙縁と画板縁との境にやや余裕スペース２，２ａ，２ｂ，２ｃ，１８，１８ａ，１８ｂ，１８ｃになる余白的部分が、指先のやり場を容易にもたらし、余計に、画面上に指先が誤って触れることを防ぎ、指先を画板側面に充てがいつつ、画筆をふるうのに、とても便利である。
【図面の簡単な説明】
【００３６】
【図１】本考案に係る画板をイーゼルに立て架けた正面図である。
【図２】同画板の収納スペース部分で、画板を開け広げて見た斜視図である。
【図３】同画板をやや閉じ気味にしながら見た斜視図である。
【図４】同画板に装着のトンボと蝶番及び板隅の楔留めを拡大図である。
【図５】同画板の裏面及び収納スペースのしゃくり溝部分の斜視図である。
【図６】同画板に備え付けられたロープ先端結び玉の拡大図である。
【図７】同画板をイーゼルに立て架け、裏面から見た斜視図である。
【図８】同画板の備付けロープで２枚板を縛り閉じして見た正面図である。
【図９】同画板を蝶番部分からみた側面図
【符号の説明】
【００３７】１，１ａ画板となる平板
２，２ａ，２ｂ，２ｃ画板部細め縁回し角材
３，３ａ，３ｂ，３ｃ凸部付防錆トンボ
４，４ａ，４ｂ，４ｃトンボを画板に留める防錆モクネジ
５，５ｂ備付けロープ先端結び玉部分
６，６ａ，６ｂイーゼル脚部
７，７ａイーゼル支柱
８，８ａ，８ｂ，８ｃ，８ｄ，８ｅ，８ｆ，８ｇ楔材
９，９ａ蝶番
１０イーゼル付属の画板固定部品具
１１イーゼル付属の画板受け台
１２，１２ａ，１２ｂ，１２ｃ，１２ｄ，１２ｅ，１２ｆ，１２ｇ蝶番留めネジ
１３収納スペースになる裏板一部
１４収納スペースになる裏板一部
１５収納スペースになる裏板一部
１６，１６ａ平板に開けられた貫通孔
１７，１７ａ，１７ｂ，支持体保護収納スペース用平板の縁回し材に施されたしゃくり溝
１８，１８ａ，１８ｂ，１８ｃ，画板と連結する裏手の平板で、しゃくり溝付きの太め縁回し材
【図１】
0005301873.tif 000002
【図２】
0005301873.tif 000003
【図３】
0005301873.tif 000004
【図４】
0005301873.tif 000005
【図５】
0005301873.tif 000006
【図６】
0005301873.tif 000007
【図７】
0005301873.tif 000008
【図８】
0005301873.tif 000009
【図９】
0005301873.tif 000010